(57)【要約】【課題】  ドクターブレードユニットの保持状態を安定させることができ、版胴の外表面に対するドクターブレードの当接状態を安定させ、この当接状態の不良に起因する印刷の品質不良を防止することができるドクター装置を提供すること。【解決手段】  ドクター装置１０は、ドクターブレード２１を有するドクターブレードユニット２０と、ドクターブレードユニット２０を挟んで保持する上部ドクターホルダー３０および下部ドクターホルダー３１と、上部ドクターホルダー３０および下部ドクターホルダー３１を締結する締結ねじ４０とを備えている。締結ねじ４０はトルクリミッタ４１を有している。上部ドクターホルダー３０および下部ドクターホルダー３１は予め設定された大きさの締め付けトルクで締結される。【選択図】  図２
2006272717.tif 000002
【特許請求の範囲】
【請求項１】
ドクターブレードを有するドクターブレードユニットと、
前記ドクターブレードユニットを挟んで保持する上部ドクターホルダーおよび下部ドクターホルダーと、
トルクリミッタを有し、前記上部ドクターホルダーおよび下部ドクターホルダーを予め設定された締め付けトルクで締結する締結ねじと、
を備えたことを特徴とするドクター装置。
【請求項２】
前記ドクターブレードユニットは、ドクターブレードの上下に配置された上下一対の当て板を有することを特徴とする請求項１記載のドクター装置。
【請求項３】
前記下部ドクターホルダーは、ドクターブレードの位置決めを行う位置決めピンを当該ドクターブレードの基端側に有することを特徴とする請求項１または２記載のドクター装置。
【請求項４】
前記締結ねじは、当該締結ねじを回転させるためのハンドルを有し、
オペレータがこのハンドルを操作することにより前記上部ドクターホルダーおよび下部ドクターホルダーに対する締結ねじの締め付けまたは取り外しを行うことができるようになっていることを特徴とする請求項１乃至３のいずれかに記載のドクター装置。
【請求項５】
前記締結ねじにおいて、トルクリミッタにより前記締め付けトルクの大きさが１０〜１５Ｎ・ｍの範囲内に設定されていることを特徴とする請求項１乃至４のいずれかに記載のドクター装置。
【発明の詳細な説明】
【技術分野】
【０００１】
本発明は、グラビア印刷機等の版胴に付着した余剰インキを掻き取るドクター装置に関する。
【背景技術】
【０００２】
従来より、版胴に付着した余剰インキを掻き取るためのドクター装置を備えたグラビア印刷機等の印刷ユニットが知られている（例えば、特許文献１参照）。このような印刷ユニットについて図４を用いて説明する。図４は、従来のドクター装置が取り付けられたグラビア印刷機の印刷ユニットの構成を示す斜視図である。
【０００３】
従来のグラビア印刷機の印刷ユニット５１は、ウェブ（図示せず）の表面に対してインキＩを付着させることにより印刷を行うよう構成されており、図４に示すように、インキＩを貯留するインキパン５２と、インキパン５２内のインキＩがファニッシャーロール５３を介して送られる版胴５４と、版胴５４との間でウェブを挟持して印刷を行う圧胴５５と、版胴５４の表面に付着した余剰インキを掻き取るドクター装置６０とを備えている。
【０００４】
ファニッシャーロール５３は、その外周面５３ａがインキパン５２内のインキＩに浸るよう設けられており、回転することによりインキパン５２内のインキＩが外周面５３ａに付着するようになっている。
【０００５】
版胴５４は、ファニッシャーロール５３に当接するとともに、圧胴５５により押圧されてニップ部を形成するようになっている。この版胴５４の表面には複数のセル（図示せず）が形成されており、ファニッシャーロール５３と当接することによりこのファニッシャーロール５３の外表面５３ａに付着したインキＩが各セル内に充填される。しかしながら、ファニッシャーロール５３の外表面５３ａから版胴５４に送られるインキＩのうち、各セル内に充填されなかった余剰インキは当該版胴５４の外表面５４ａに付着してしまう。
【０００６】
ドクター装置６０は、版胴５４の回転方向におけるファニッシャーロール５３の下流側であって圧胴５５の上流側に設けられている。このドクター装置６０は、版胴５４の外表面５４ａを摺擦することにより、当該版胴５４の各セル内に充填されたインキＩをそのままの状態で維持しながら外表面５４ａに付着した余剰インキを掻き落とすようになっている。
このドクター装置６０は、図４に示すように、ドクターブレード６２を有するドクターブレードユニット６１と、ドクターブレードユニット６１を挟んで保持する上部ドクターホルダー６３および下部ドクターホルダー６４とを備えており、上部ドクターホルダー６３および下部ドクターホルダー６４はボルト・ナット等の複数の締結ねじ６５により締結されている。各締結ねじ６５は、図４に示すようにドクターブレードユニット６１の幅方向に沿って一列に並んで配置されている。
【０００７】
圧胴５５は、版胴５４を押圧してニップ部を形成し、この版胴５４との間のニップ部でウェブを挟持して当該版胴５４の各セル内のインキＩをウェブの表面に付着させるようになっている。
【０００８】
次に、従来の印刷ユニット５１の作用について図４を用いて説明する。
この印刷ユニット５１において、インキパン５２には予めインキＩが貯留されており、このインキパン５２内のインキＩに浸されたファニッシャーロール５３が図４の矢印方向に回転することにより当該ファニッシャーロール５３の外表面５３ａにインキＩが付着する。
版胴５４はファニッシャーロール５３に当接しながら図４の矢印方向に回転し、ファニッシャーロール５３の外表面５３ａに付着したインキＩが版胴５４の各セル内に転移して当該セル内にインキＩが充填される。このときに、各セル内に充填されなかった余剰インキが版胴５４の外表面５４ａに付着する。
【０００９】
その後、ドクター装置６０のドクターブレード６２が版胴５４の外表面５４ａを擦摺し、この外表面５４ａに付着した余剰インキを掻き落とす。一方、版胴５４の各セル内に充填されたインキＩはドクター装置６０によっては掻き落とされることなく、版胴５４と圧胴５５との間に形成されたニップ部においてウェブに転写される。
このようにして、グラビア印刷機の印刷ユニット５１においてウェブに対する印刷が行われる。
【００１０】
【特許文献１】特開平９−２９９３０号公報
【発明の開示】
【発明が解決しようとする課題】
【００１１】
ところで、従来のグラビア印刷機の印刷ユニット５１においては、ドクター装置６０を組み立てる際に、まずドクターブレード６２を有するドクターブレードユニット６１を上部ドクターホルダー６３および下部ドクターホルダー６４の間に挟み、次に上部ドクターホルダー６３および下部ドクターホルダー６４をボルト・ナット等の締結ねじ６５により締結してドクターブレードユニット６１の位置を固定している。
【００１２】
ここで、上部ドクターホルダー６３および下部ドクターホルダー６４をボルト・ナット等の締結ねじ６５により締結する方法においては、締め付けトルクの大きさが一定となっておらず、この締め付けトルクはドクター装置６０の組み立てを行うオペレータによって異なる大きさになってしまうという問題がある。
上部ドクターホルダー６３および下部ドクターホルダー６４を締結ねじ６５により締結する際の締め付けトルクの大きさが異なると、上部ドクターホルダー６３および下部ドクターホルダー６４によるドクターブレードユニット６１の保持状態も変化してしまい、このドクターブレードユニット６１のドクターブレード６２の刃先の波打ちの度合いが変化するおそれがある。ドクターブレード６２の刃先の波打ちの度合いが変化すると、版胴５４の外表面５４ａに対するドクターブレード６２の刃先の当接状態が変化し、ウェブにおける印刷の濃度差やコーティング時の膜圧差、あるいはカブリ現象の発生のような印刷の品質不良が発生してしまう。
【００１３】
とりわけ、締め付けトルクの大きさが標準の大きさと比べて過大となった場合には、ドクターブレード６２の刃先の波打ちの程度が大きくなってしまう。
図５に、ドクター装置６０における締め付けトルクの大きさとドクターブレード６２の刃先の真直度との関係を表すグラフを示す。図５において横軸はドクターブレード６２の幅方向の位置を示し、縦軸はドクターブレード６２の刃先の真直度の大きさを示す。図５に示すように、締め付けトルクの大きさが５〜１５Ｎ・ｍの範囲内にあるときには、ドクターブレード６２の刃先の波打ちの程度を示す指標である真直度は１０５μｍ〜１１５μｍの範囲内に収まるが、締め付けトルクの大きさが２０Ｎ・ｍを超えた場合にはこの真直度は急激に大きくなってしまう。
ドクターブレード６２の刃先の波打ちの程度（真直度）が大きくなってしまうと、余剰インキの掻き漏れによるカブリ現象が発生する可能性が高くなってしまう。
【００１４】
本発明は、このような点を考慮してなされたものであり、上部ドクターホルダーおよび下部ドクターホルダーを締結ねじにより締結する際の締め付けトルクの大きさを一定にすることにより、ドクターブレードユニットの保持状態を安定させることができ、版胴の外表面に対するドクターブレードの当接状態を安定させ、この当接状態の不良に起因する印刷の品質不良を防止することができるドクター装置を提供することを目的とする。
【課題を解決するための手段】
【００１５】
本発明は、ドクターブレードを有するドクターブレードユニットと、前記ドクターブレードユニットを挟んで保持する上部ドクターホルダーおよび下部ドクターホルダーと、トルクリミッタを有し、前記上部ドクターホルダーおよび下部ドクターホルダーを予め設定された締め付けトルクで締結する締結ねじと、を備えたことを特徴とするドクター装置である。
このようなドクター装置によれば、ドクターブレードユニットのドクターブレードの刃先の位置を安定させることができ、版胴の外表面に対するドクターブレードの当接状態を安定させることができるので、ウェブにおける印刷の濃度差やコーティング時の膜圧差、あるいはカブリ現象の発生のような、ドクターブレードの版胴に対する当接状態の不良に起因する印刷の品質不良を防止することができる。
【００１６】
本発明のドクター装置においては、前記ドクターブレードユニットは、ドクターブレードの上下に配置された上下一対の当て板を有することが好ましい。
このようなドクター装置によれば、当て板によりドクターブレードの補強を行うことができ、このドクターブレードの刃先の位置をより安定させることができる。このため、版胴の外表面に対するドクターブレードの当接状態をより安定させることができる。
【００１７】
本発明のドクター装置においては、前記下部ドクターホルダーは、ドクターブレードの位置決めを行う位置決めピンを当該ドクターブレードの基端側に有することが好ましい。
このようなドクター装置によれば、位置決めピンによりドクターブレードの取り付け位置を所望の位置とすることができ、このドクターブレードの刃先の位置をより安定させることができる。このため、版胴の外表面に対するドクターブレードの当接状態をより安定させることができる。
【００１８】
本発明のドクター装置においては、前記締結ねじは、当該締結ねじを回転させるためのハンドルを有し、オペレータがこのハンドルを操作することにより前記上部ドクターホルダーおよび下部ドクターホルダーに対する締結ねじの締め付けまたは取り外しを行うことができるようになっていることが好ましい。
このようなドクター装置によれば、オペレータは現場にて特段の準備を行うことなく容易に締結ねじの締め付けまたは取り外しを行うことができる。
【００１９】
本発明のドクター装置においては、前記締結ねじにおいて、トルクリミッタにより前記締め付けトルクの大きさが１０〜１５Ｎ・ｍの範囲内に設定されていることが好ましい。
このようなドクター装置によれば、締め付けトルクの大きさが過小となることを防止することができるので、上部ドクターホルダーおよび下部ドクターホルダーによるドクターブレードユニットの保持が不十分となりドクターブレードの刃先の位置が不安定となることを抑止することができる。また、締め付けトルクの大きさが過大となることを防止することができるので、ドクターブレードの刃先の波打ちの程度（真直度）が大きくなることや、締結ねじにかかる負荷が過大となることを抑止することができる。
【発明の効果】
【００２０】
本発明のドクター装置によれば、ドクターブレードユニットのドクターブレードの刃先の位置を安定させることができ、版胴の外表面に対するドクターブレードの当接状態を安定させることができるので、ウェブにおける印刷の濃度差やコーティング時の膜圧差、あるいはカブリ現象の発生のような、ドクターブレードの版胴に対する当接状態の不良に起因する印刷の品質不良を防止することができる。
【発明を実施するための最良の形態】
【００２１】
以下、図面を参照して本発明の実施の形態について説明する。
図１乃至図３は、本発明によるドクター装置の実施の形態を示す図である。このうち、図１は、本実施の形態のドクター装置が取り付けられたグラビア印刷機の印刷ユニットの構成を示す概略構成図であり、図２は、図１のドクター装置の詳細の構成を示す縦断面図であり、図３は、図１のドクター装置の上面図である。
【００２２】
図１に示すように、本実施の形態のドクター装置が取り付けられたグラビア印刷機の印刷ユニット１は、ウェブＷの表面に対してインキＩを付着させることにより印刷を行うよう構成されており、インキＩを貯留するインキパン２と、インキパン２内のインキＩがファニッシャーロール３を介して送られる版胴４と、版胴４との間でウェブＷを挟持して印刷を行う圧胴５と、版胴４の表面に付着した余剰インキＩ´を掻き取るドクター装置１０とを備えている。
【００２３】
ファニッシャーロール３は、その外周面３ａがインキパン２内のインキＩに浸るよう設けられており、回転することによりインキパン２内のインキＩが外周面３ａに付着するようになっている。
【００２４】
版胴４は、ファニッシャーロール３に当接するとともに、圧胴５により押圧されてニップ部を形成するようになっている。この版胴４の表面には複数のセル（窪み）４ａが形成されており、ファニッシャーロール３と当接することによりこのファニッシャーロール３の外表面３ａに付着したインキＩが各セル４ａ内に充填される。しかしながら、ファニッシャーロール３の外表面３ａから版胴４に送られるインキＩのうち、各セル４ａ内に充填されなかった余剰インキＩ´は当該版胴４の外表面４ｂに付着してしまう（図１参照）。
【００２５】
ドクター装置１０は、版胴４の回転方向におけるファニッシャーロール３の下流側であって圧胴５の上流側に設けられている。このドクター装置１０は、版胴４の外表面４ｂを摺擦することにより、版胴４の各セル４ａ内に充填されたインキＩをそのままの状態で維持しながら外表面４ｂに付着した余剰インキＩ´を掻き落とすようになっている。このようなドクター装置１０の構成の詳細については後述する。
【００２６】
圧胴５は、版胴４を押圧してニップ部を形成し、この版胴４との間のニップ部でウェブＷを挟持して当該版胴４の各セル４ａ内のインキＩをウェブＷの表面に付着させるようになっている。
【００２７】
次に、ドクター装置１０の構成の詳細について図１乃至図３を用いて説明する。
ドクター装置１０は、ドクターブレードユニット２０と、このドクターブレードユニット２０を挟んで保持する上部ドクターホルダー３０および下部ドクターホルダー３１と、上部ドクターホルダー３０および下部ドクターホルダー３１の組合体を支持する支持架台３２と、上部ドクターホルダー３０および下部ドクターホルダー３１を締結する複数の締結ねじ４０とを備えている。各締結ねじ４０は、ドクターブレードユニット２０の幅方向に沿って一列に並んで配置されている（図３参照）。
【００２８】
ドクターブレードユニット２０は、版胴４の外表面４ｂを擦摺して余剰インキＩ´を掻き落とすドクターブレード２１と、ドクターブレード２１の上下に配置され、このドクターブレード２１の補強を行う上下一対の当て板２２とを有している。
ドクターブレードユニット２０のドクターブレード２１は、例えば弾力性を有するバネ鋼鋼材からなり、その厚さは例えば０．１５〜０．２ｍｍとなっており、基端部２１ａから先端の刃先まで延びる長さは例えば５０〜６０ｍｍとなっている。
上下一対の当て板２２は、例えば厚さが０．３〜０．５ｍｍである鋼材から構成されている。
【００２９】
上部ドクターホルダー３０および下部ドクターホルダー３１は、図２に示すようにドクターブレードユニット２０を挟持するようになっており、この上部ドクターホルダー３０および下部ドクターホルダー３１の組合体は支持架台３２により支持されてその位置が固定されている。また、上部ドクターホルダー３０および下部ドクターホルダー３１には、後述する締結ねじ４０のねじ山部分４３を受けるねじ孔３０ａ、３１ａが設けられている。さらに、下部ドクターホルダー３１は、ドクターブレード２１の位置決めを行う位置決めピン３１ｂをこのドクターブレード２１の基端側に有している。
位置決めピン３１ｂは、ドクターブレード２１の延びる方向（図２の紙面における左右方向）における当該ドクターブレード２１の取り付け位置を所望の位置に調整するようこのドクターブレード２１の基端部２１ａをピン留めするようになっている。
【００３０】
締結ねじ４０は、トルクリミッタ４１と、このトルクリミッタ４１に接続され、当該締結ねじ４０を回転させるために用いられるハンドル４２と、トルクリミッタ４１に連結したねじ山部分４３とを有し、上部ドクターホルダー３０および下部ドクターホルダー３１をねじ山部分４３により予め設定された締め付けトルクで締結するようになっている。ここで、締め付けトルクとは、締結ねじ４０を締め付ける時に必要な回転モーメントのことをいう。
トルクリミッタ４１として、例えば負荷（締め付けトルク）が規定値以上に作用した場合、回転力を伝える継ぎ手部が滑ったり、離れたりするように設計されたトルク伝動制限器等が用いられる。
【００３１】
この締結ねじ４０において、トルクリミッタ４１により締め付けトルクの大きさが１０〜１５Ｎ・ｍの範囲内に設定されている。この締め付けトルクが１０Ｎ・ｍより小さい場合には締結ねじ４０により上部ドクターホルダー３０および下部ドクターホルダー３１を十分に締め付けることができず、ドクターブレードユニット２０の保持が不十分となるのでドクターブレード２１の刃先の位置を安定させることができない。一方、締め付けトルクが１５Ｎ・ｍより大きい場合には、ドクターブレード２１の刃先の波打ちの程度（真直度）が大きくなり、余剰インキＩ´の掻き漏れによるカブリ現象が発生するおそれがあり、また、締結ねじ４０にかかる負荷が過大となるのでこの締結ねじ４０がすぐに摩耗して長期間使用することが困難となる。
【００３２】
ハンドル４２は、図２および図３に示すようにトルクリミッタ４１に接続されており、オペレータがこのハンドル４２を操作することにより上部ドクターホルダー３０および下部ドクターホルダー３１に対する締結ねじ４０の締め付けまたは取り外しを行うことができるようになっている。
【００３３】
次に、このような構成からなる本実施の形態の作用について説明する。
まず、グラビア印刷機の印刷ユニット１の全体的な作用について図１を用いて説明する。
この印刷ユニット１において、インキパン２には予めインキＩが貯留されており、このインキパン２内のインキＩに浸されたファニッシャーロール３が図１の矢印方向に回転することにより当該ファニッシャーロール３の外表面３ａにインキＩが付着する。
版胴４はファニッシャーロール３に当接しながら図１の矢印方向に回転し、ファニッシャーロール３の外表面３ａに付着したインキＩが版胴４の各セル４ａ内に転移して当該セル４ａ内にインキＩが充填される。このときに、各セル４ａ内に充填されなかった余剰インキＩ´が版胴４の外表面４ｂに付着する。
【００３４】
その後、ドクター装置１０のドクターブレード２１が版胴４の外表面４ｂを擦摺し、この外表面４ｂに付着した余剰インキＩ´を掻き落とす。一方、版胴４の各セル４ａ内に充填されたインキＩはドクター装置１０によっては掻き落とされることなく、版胴４と圧胴５との間に形成されたニップ部においてウェブＷに転写される。
このようにして、グラビア印刷機の印刷ユニット１においてウェブＷに対する印刷が行われる。
【００３５】
次に、印刷ユニット１のドクター装置１０の組み立て方法について図２および図３を用いて説明する。
このドクター装置１０は、ドクターブレード２１を有するドクターブレードユニット２０を、上部ドクターホルダー３０および下部ドクターホルダー３１の間で挟んで保持することにより組み立てられる。具体的には、ドクターブレード２１の基端部２１ａを位置決めピン３１ｂによりピン留めすることによりドクターブレード２１の位置決めを行いながら、ドクターブレードユニット２０を上部ドクターホルダー３０および下部ドクターホルダー３１の間で挟んで保持している。
この際に、オペレータは、まず上部ドクターホルダー３０と下部ドクターホルダー３１との間にドクターブレードユニット２０を挟み、次に上部ドクターホルダー３０および下部ドクターホルダー３１を締結ねじ４０により締結する。
【００３６】
オペレータが締結ねじ４０により上部ドクターホルダー３０および下部ドクターホルダー３１を締結する際に、当該オペレータは締結ねじ４０のハンドル４２を操作することによりトルクリミッタ４１を介してねじ山部分４３を回転させる。このようにして締結ねじ４０のねじ山部分４３を上部ドクターホルダー３０および下部ドクターホルダー３１の各ねじ孔３０ａ、３１ａに挿入させることによりこれらの上部ドクターホルダー３０および下部ドクターホルダー３１に対する締結ねじ４０の締め付けが行われる。
【００３７】
ここで、オペレータが締結ねじ４０により上部ドクターホルダー３０および下部ドクターホルダー３１を締結する場合において、当該締結ねじ４０にはトルクリミッタ４１が設けられておりこのトルクリミッタ４１により締結ねじ４０における締め付けトルクの大きさが１０〜１５Ｎ・ｍの範囲内に設定されている。このため、締結ねじ４０はこの予め設定された締め付けトルクの大きさ以上のトルクで上部ドクターホルダー３０および下部ドクターホルダー３１を締結することはない。
【００３８】
以上のように本実施の形態のドクター装置によれば、締結ねじ４０はトルクリミッタ４１を有し、この締結ねじ４０は上部ドクターホルダー３０および下部ドクターホルダー３１を予め設定された締め付けトルクで締結しているので、ドクターブレードユニット２０のドクターブレード２１の刃先の位置を安定させることができ、版胴４の外表面４ｂに対するドクターブレード２１の当接状態を安定させることができるので、ウェブＷにおける印刷の濃度差やコーティング時の膜圧差、あるいはカブリ現象の発生のような、ドクターブレード２１の版胴４に対する当接状態の不良に起因する印刷の品質不良を防止することができる。
【００３９】
また、ドクターブレードユニット２０はドクターブレード２１の上下に配置された上下一対の当て板２２を有しているので、当該当て板２２によりドクターブレード２１の補強を行うことができ、このドクターブレード２１の刃先の位置をより安定させることができる。このため、版胴４の外表面４ｂに対するドクターブレード２１の当接状態をより安定させることができる。
【００４０】
また、下部ドクターホルダー３１はドクターブレード２１の位置決めを行う位置決めピン３１ｂを当該ドクターブレード２１の基端側に有しているので、この位置決めピン３１ｂによりドクターブレード２１の取り付け位置を所望の位置とすることができ、このドクターブレード２１の刃先の位置をより安定させることができる。このため、版胴４の外表面４ｂに対するドクターブレード２１の当接状態をより安定させることができる。
【００４１】
また、締結ねじ４０は、当該締結ねじ４０を回転させるためのハンドル４２を有し、オペレータがこのハンドル４２を操作することにより上部ドクターホルダー３０および下部ドクターホルダー３１に対する締結ねじ４０の締め付けまたは取り外しを行うことができるようになっているので、オペレータは現場にて特段の準備を行うことなく容易に締結ねじ４０の締め付けまたは取り外しを行うことができる。
【００４２】
また、締結ねじ４０において、トルクリミッタ４１により締め付けトルクの大きさが１０〜１５Ｎ・ｍの範囲内に設定されているので、締め付けトルクの大きさが過小となることを防止することができ、このため、上部ドクターホルダー３０および下部ドクターホルダー３１によるドクターブレードユニット２０の保持が不十分となりドクターブレード２１の刃先の位置が不安定となることを抑止することができる。また、締め付けトルクの大きさが過大となることを防止することができるので、ドクターブレード２１の刃先の波打ちの程度（真直度）が大きくなることや、締結ねじ４０にかかる負荷が過大となることを抑止することができる。
【図面の簡単な説明】
【００４３】
【図１】本実施の形態のドクター装置が取り付けられたグラビア印刷機の印刷ユニットの構成を示す概略構成図である。
【図２】図１のドクター装置の詳細の構成を示す縦断面図である。
【図３】図１のドクター装置の上面図である。
【図４】従来のドクター装置が取り付けられたグラビア印刷機の印刷ユニットを示す斜視図である。
【図５】ドクター装置における締め付けトルクの大きさとドクターブレードの刃先の真直度との関係を表すグラフである。
【符号の説明】
【００４４】
１    印刷ユニット
２    インキパン
３    ファニッシャーロール
３ａ  外表面
４    版胴
４ａ  セル（窪み）
４ｂ  外表面
５    圧胴
１０  ドクター装置
２０  ドクターブレードユニット
２１  ドクターブレード
２１ａ  基端部
２２  当て板
３０  上部ドクターホルダー
３０ａ  ねじ孔
３１  下部ドクターホルダー
３１ａ  ねじ孔
３１ｂ  位置決めピン
３２  支持架台
４０  締結ねじ
４１  トルクリミッタ
４２  ハンドル
４３  ねじ山部分
５１  印刷ユニット
５２  インキパン
５３  ファニッシャーロール
５３ａ  外表面
５４  版胴
５４ａ  外表面
５５  圧胴
６０  ドクター装置
６１  ドクターブレードユニット
６２  ドクターブレード
６３  上部ドクターホルダー
６４  下部ドクターホルダー
６５  締結ねじ
【図１】
2006272717.tif 000003
【図２】
2006272717.tif 000004
【図３】
2006272717.tif 000005
【図４】
2006272717.tif 000006
【図５】
2006272717.tif 000007